(57)【要約】      （修正有）【課題】建具の支持ローラ体をガイドレールを備えた上枠から容易に挿脱できるようにする。【解決手段】上枠１４の端部に支持ローラのランナ部が出し入れできる大きさの切欠部１９を設ける。この切欠部１９からランナ１０のランナ部を挿入し、この切欠部１９の外形寸法に合致した拡幅段部付き切欠閉鎖部材２２を切欠部１９に嵌合してビス等で上枠１４に固着させる。切欠部１９を閉鎖及び遮蔽する。上枠１４からランナ１０を取り外すときは、切欠閉鎖部材２２を上枠１４に固着させているビス等を外し、上枠１４から上記切欠閉鎖部材２２を取り外し、切欠部１９を露出させてそこから外す。【選択図】図８
2008163587.tif 000002
【特許請求の範囲】
【請求項１】
建物の開口部に取り付けた少なくとも上枠を備えた開口枠に開閉自在に収容された障子を備えた建具において、
上枠に設けたガイドレールに沿って移動可能なランナと、該ランナをその上部に取り付けた障子と、一端又は両端にランナを挿脱可能な大きさの切欠部を備えた前記ガイドレールと、前記切欠部に挿入する切欠閉鎖部材とを備えたことを特徴とする建具。
【請求項２】
請求項１に記載された建具において、
前記切欠閉鎖部材は、該切欠閉鎖部材の下面に前記切欠部を遮蔽する遮蔽手段を備えていることを特徴とする建具。
【請求項３】
請求項１又は２に記載された建具において、
前記切欠閉鎖部材は、障子が当接する側に障子用キャッチ又はストッパーを備えたことを特徴とする建具。
【請求項４】
請求項１ないし３のいずれかに記載された建具において、
前記ランナは、障子の上框に当該上框に沿って設けた溝に縦框側から挿脱自在であることを特徴とする建具。
【請求項５】
請求項１ないし４のいずれかに記載された建具において、
前記上枠は、その内側に備えたガイドレールよりも下方に延在して、前記切欠部に挿入された前記切欠閉鎖部材を隠蔽する側壁を有することを特徴とする建具。
【請求項６】
建物開口部に取り付けた上枠のガイドレールに設けたランナ挿脱用の切欠部を閉鎖する切欠閉鎖部材において、
一端側に障子用キャッチ又はストッパーを備え、下部に前記切欠部を遮蔽する遮蔽手段を有することを特徴とする切欠閉鎖部材。
【発明の詳細な説明】
【技術分野】
【０００１】
本発明は、ガイドレールに形成した切欠部を遮蔽する切欠閉鎖部材及び切欠閉鎖部材を備えたランナの取り外しが容易な建具に関する。
【背景技術】
【０００２】
従来、住宅内の間仕切りなどに用いられる開口の上部及び下部にガイドレールを備えた上枠を設け、支持体によってこのガイドレールに対し、縦及び横框に透明又は反透明のプラスチック板などを組み込んで形成した一又は複数のスクリーンを水平方向に移動可能につり下げて配置する吊引戸が知られている。
【０００３】
図９は従来の吊引戸の例を示した概略図である。
図９に示した吊引戸は一つのスクリーンと２本の横枠と２本の縦枠から構成されている。スクリーン１０１は図示しないローラを有する支持体（以下、ランナという）によって、開口部に取り付けられた枠材１０２のガイドレール上を移動可能に吊下支持されており、スクリーン１０１に固着した取手１０３を掴んで図中左右水平方向に移動させて開閉することができる。
【０００４】
ところで、吊引戸は長期間使用するにつれてランナが摩耗又は故障して交換を要することがある。また、ランナに埃などのゴミが付着し、溜まってくると、ランナを枠材１０２内で移動させる際に、これらのゴミはランナのローラと回転軸の回りとの接触部分に摩擦を生じさせ、吊引戸が開閉し難くなるため、ランナに付着したゴミを定期的に除去する必要がある。
しかしながら、従来の吊引戸では、開口部から枠材１０２を取り外さなければ、ランナを枠材１０２から外すことができず、ランナの交換又は修理、ゴミの除去を初めとしたメンテナンス作業を行う際に非常に手間が掛かっている。
【０００５】
そこで、ガイドレールの一部を切り欠き、その切り欠き部分から支持ローラ体をガイドレールに挿脱できるようにし、ジョイントレール（補助レール）をその切り欠き部分に取り付けることで支持ローラ体が通常どおりにガイドレール内を転動できるようにした折り戸装置が提案されている（特許文献１参照）。
【０００６】
図１０は特許文献１に記載された折り戸装置を説明するための図である。
図示のように、この折り戸装置には切欠部１１１が形成され、この切欠部１１１から支持ローラ体をスリット１１２を通してガイドレールが形成された枠材１１０内に挿入し、その後、ジョイント枠材１１３をビスで切欠部１１１に固定する。
メンテナンス作業等を行う際は、ジョイント枠材１１３を取り外し、従来と比べて容易にランナ等の支持ローラ体を外すことができる。
【０００７】
また、これとは別に上部ガイドレールの端部に取り付けた補助レールの下部材を着脱可能にして、その下部材を取り外すことにより、上部ガイドレールから支持ローラ体を外すことができるようにしたレール補助部材も提案されている（特許文献２参照）。
【０００８】
図１１及び図１２は特許文献２に記載されたレール補助部材を説明するための図である。
図１１に示すように、このレール補助部材はレールベース１２０と補助レール１２１からなり、組立に際しては、図１２Ａに示すように補助レール１２１をレールベース１２０に下から押し当て、装着させる（図１２Ｂ参照）。
レールベース１２０から補助レール１２１を取り外すときは、補助レール１２１を掴んで、図中下方向に引っ張って取り外す。
このように、ガイドレールの着脱をワンタッチで行うことができ、前述したメンテナンス等のときには容易に補助レール１２１を外して、支持ローラ体を取り出すことができる。
【０００９】
ところで、特許文献１に記載された折り戸装置は、支持ローラ体を枠材１１０から外す際にジョイント枠材１１３を取り外す必要がある。またジョイント枠材１１３を取り付ける際のビスの止め具合の強弱によって上枠との間に隙間ができてしまうと、枠材１１０とジョイント枠材１１３との接続部分にガタツキが生じ、支持ローラ体が接続部分をスムーズに移動できなくなる。そのため、騒音が発生したり、折り戸の開閉がし難くなるという問題がある。
また、ジョイント枠材１１３を取り付けたとき、枠材１１０を分割しているのが見え、見栄えが悪いという問題もある。
【００１０】
特許文献２に記載された補助レール部材は、特許文献１に記載された折り戸装置のように支持ローラ体の取り外しの際にビスを着脱する必要がなく、ビスの止め具合による枠材のガタツキ等の問題を解消することができる。
しかしながら、特許文献１に記載された折り戸装置と同様に、支持ローラ体を外すときに補助レール１２１を取り外す必要があり、手間が掛かる。また、ガイドレールの着脱をワンタッチで行うことができる反面、補助部材の支持が圧入固定によるものであるため、衝撃によって補助部材が外れてしまい、上部ガイドレールから支持ローラ体が落下し、スクリーンが倒れるなどの恐れがあるという問題がある。
【特許文献１】特許第２６３０７４５号
【特許文献２】特許第３１８４７６９号
【発明の開示】
【発明が解決しようとする課題】
【００１１】
本発明は従来の建具の問題に鑑みてなされたものであって、その目的は、建具において、ガイドレールの切欠部から建具の支持ローラ体のみを容易に取り外すことができるようにすると共に、切欠部を閉鎖しかつ外部から遮蔽する切欠閉鎖部材に障子用キャッチ又はストッパーを備えることで部品を共用化し、ガイドレールの美観を維持すると共にコストダウンを図ることである。
【課題を解決するための手段】
【００１２】
請求項１の発明は、建物の開口部に取り付けた少なくとも上枠を備えた開口枠に開閉自在に収容された障子を備えた建具において、上枠に設けたガイドレールに沿って移動可能なランナと、該ランナをその上部に取り付けた障子と、一端又は両端にランナを挿脱可能な大きさの切欠部を備えた前記ガイドレールと、前記切欠部に挿入する切欠閉鎖部材とを備えたことを特徴とする。
請求項６の発明は、建物開口部に取り付けた上枠のガイドレールに設けたランナ挿脱用の切欠部の切欠閉鎖部材において、端側に障子用キャッチ又はストッパーを備え、下部に前記切欠部を遮蔽する遮蔽手段を有することを特徴とする。
【発明の効果】
【００１３】
本発明によれば、支持ローラ体のみをガイドレール端部に設けた小さな切欠部を通して容易に取り外すことができる。また、切欠部を閉鎖しかつ外部から遮蔽する切欠閉鎖部材に障子用キャッチ又はストッパーを備えることで、美観の維持及び部品の共用化によるコストダウンが得られる。
【発明を実施するための最良の形態】
【００１４】
以下に本発明の建具の一実施形態に係る吊り戸装置を、図面を用いて説明する。
図１は本発明の実施形態に係るスクリーンの斜視図である。
図１に示すように、本発明の実施形態に係るスクリーン１は前記従来のものと同じであり、支持ローラ体であるランナ（吊り車装置）をスクリーン１に装着するための溝２を上框５の両端に備え、ランナを装着した後に溝２などを隠す、緩衝材を兼ねたシール材６を縦框３に備えており、縦框３の略中央部には取手７が固着されている。
【００１５】
また、スクリーン１の下框４には下ガイドレールに沿ってスクリーン１を誘導するための２本のガイドピボット８がビス９によって固着され、ガイドピボット８のスライド部８ａが下ガイドレールのレール内をスライドして、スクリーン１が水平方向に摺動する。
なお、下ガイドレールを用いないときは、このガイドピボット８をスクリーン１から取り外して用いる。
【００１６】
図２は本発明の実施形態に係る吊り戸装置のランナの斜視図である。
図２に示すように、ランナ１０は、ホルダ部１１とランナ部１２と、ホルダ部１１とランナ部１２を連結する例えば中空金属管からなる連結杆１３とからなる。
ランナ部１２は、連結杆１３によってホルダ部１１に対して旋回自在に連結され、枠材内で移動可能な大きさのブロック状を成しており、その側面には前後にそれぞれ対を成す４つの車輪１２ａが設けられている。
ランナ部１２の車輪１２ａの一端側の下面には、下方向に形成されたシャフト状の掛止部材１２ｂが設けられている。この掛止部材１２ｂは、ガイドレールに設けた後述する切欠閉鎖部材のキャッチに係合する。
【００１７】
ホルダ部１１は、ランナ部１２のブロック状部よりも大きなブロック状部からなり、スクリーン１の上框５に設けた溝２に挿入して固定される。ランナ１０は、図１に示した溝２に装着されたときに、そのホルダ部１１を溝２内に係止するためのロック部１１ａを有し、このロック部１１ａは、図示しないバネによりホルダ部１１の上面から突出する方向に常に付勢されている。
【００１８】
ホルダ部１１の上面一端には連結杆１３が設けられており、その他端側には、ランナ部１２を溝２内に挿入したり外したりするための操作部１１ｂが設けられている。操作部１１ｂの上部には指を引っ掛けるための突起部１１ｃが設けられており、突起部１１ｃに指を引っ掛けて操作部１１ｂを水平方向に引っ張ると、これに連動するロック部１１ａがばねの付勢力に抗してホルダ部１１内に収納され、ランナ部１２を溝２から引き出すことができる。
また、ホルダ部１１内には、ガイドレールに対してスクリーン１を上下方向に位置調整する図示しない位置調整機構が備えられている。
【００１９】
ホルダ部１１を上記溝２へ装着するときは、連結杆１３が設けられている方の一端側から、ホルダ部１１を溝２へ挿入する。その際ロック部１１ａの上部テーパ面が溝２内に設けた図示しない係止手段に押されて、ばねの付勢力に抗してホルダ部１１内に押し込まれる。ロック部１１ａは、係止手段を通過後に再び突出して上記係止手段に掛止されて抜けとめ規制される。
逆に、ランナ１０を溝２から取り出すときは、突起部１１ｃに指をかけて操作部１１ｂを水平方向、即ち溝２からホルダ部１１を取り出す方向に引っ張る。これにより、操作部１１ｂに連動するロック部１１ａをばねの付勢力に抗してホルダ部１１内に引き込み、係止手段との掛止状態を解除してホルダ部１１を取り出す。
【００２０】
図３Ａは上枠１４と切欠閉鎖部材２２との上面からの分解斜視図である。
上枠１４は、アルミニウムや合成樹脂などの成形品で、断面が略コ字型をしており、図示した上枠１４は二本仕様、即ち上枠が２本平行に結合した仕様であるため、断面の中心線から左右対称の形状となっており、枠材内に形成された各ガイドレールがそれぞれスクリーン１を支持することができる。
図中、右端の挿入口１６はランナ１０のランナ部１２を挿入する入り口である。
上壁１４ａは上枠１４を開口部などに取り付けるときに開口部と接触する面であり、上壁１４ａには図の例では、四つの皿孔１５が設けられている。また、上壁１４ａは側壁１４ｂとともに、断面がコ字型の外枠を形成している。
【００２１】
図３Ｂは上枠１４と切欠閉鎖部材２２との下面からの分解斜視図である。
図示のように、上枠１４には、下面の長手方向に所定の幅を持ったスリット１８が形成されており、ランナ１０が上枠１４内のガイドレールに沿って移動するときは、このスリット１８の隙間をランナ１０の連結杆１３の部材が通過する。
上枠１４の一端には、スリット１８の所定の幅を更に拡幅した略長方形の切欠部１９が形成されている。この切欠部１９の大きさ及び形状は、ランナ１０のランナ部１２をこの切欠部１９から取り出すことができる大きさ及び形状であればよい。
切欠部１９は上枠１４の両端に設けてもよい。
【００２２】
切欠閉鎖部材２２は、アルミニウムや合成樹脂などの成形品で、図示のように、切欠部１９を閉鎖する中空又は中実の矩形状のブロック２２ａと、切欠部１９を遮蔽する部材であるブロック２２ａの底部の拡幅段部２２ｂと、後述するキャッチ部２４から成っている。切欠閉鎖部材２２の略中央位置には、切欠閉鎖部材２２と上枠１４とを螺合するネジ２３が貫通する垂直方向の貫通孔２２ｃが形成されている。
なお、切欠閉鎖部材２２のブロック２２ａはこの切欠部１９の外径寸法にほぼ合致しており、拡幅段部２２ｂは上枠１４の切欠部１９の幅よりわずかに広い突出巾を有している。
【００２３】
切欠閉鎖部材２２の底部のスクリーン１側の端部には、その長手方向中心線に沿った凹部が形成され、この凹部にはキャッチ部２４が設けられている。このキャッチ部２４は、上記ブロック２２ａに固着した側と反対側が開放し先端がやや狭くなった平面視略Ｃ型の弾性を有する挟持体からなっている。
このキャッチ部２４は、ガイドレールを走行するランナ１０のシャフト状の掛止部材１２ｂ（図２）を挟持して保持し、例えばランナ１０が装着されたスクリーン１を閉鎖状態又は開放状態にしておく際のスクリーン１の固定手段となる。
本実施形態においては上枠１４が二本仕様となっているため、各レール毎に一つの切欠閉鎖部材２２を用いている。図に示した２つの切欠閉鎖部材２２は同一のものである。
【００２４】
図４は、上枠１４と切欠閉鎖部材２２との分解断面図である。
上枠１４は既に説明した外枠を有し、上壁１４ａの内側の中心から図中垂直真下方向に上枠１４を二分する隔壁１４ｃがその長手方向に延在している。また、側壁１４ｂの内側及び隔壁１４ｃの下端部から水平方向にガイドレール１４ｄが形成されており、ガイドレール１４ｄの端部にはガイドレール１４ｄ上を移動するランナ部１２の車輪１２ａが脱輪するのを防ぐ脱輪防止縁２０がガイドレール１４ｄに沿って形成されている。
側壁１４ｂは、切欠部１９に切欠閉鎖部材２２を嵌合したときに切欠閉鎖部材２２が側壁１４ｂで隠れて側面から見えないようにしており、さらに、スクリーン１の上端と上枠１４の下端との間の光洩れを防ぐために、切欠部１９に嵌合された切欠閉鎖部材２２の下面よりも下方向に延在している。
また、上壁１４ａの内側には、長手方向に延びて車輪抑え２１が形成されており、この車輪抑え２１は挿入されているランナ部１２の車輪１２ａの上動を抑制することで、ランナ１０が装着されているスクリーン１の上動を抑制している。
なお、車輪抑え２１は既に説明した切欠部１９部分にも形成してもよい。
【００２５】
図５は、上枠１４と切欠閉鎖部材２２を下から見た図である。
図示のように、切欠閉鎖部材２２の遮蔽手段である拡幅段部２２ｂは、上枠１４の切欠部１９を閉鎖しかつ覆い隠す。
これにより、切欠閉鎖部材２２をネジ２３によって、図３に示した上枠１４の皿孔１５に螺合すれば、スリット１８に形成した切欠部１９が隠れ、外観の悪化を防止することができる。
【００２６】
図６は、上枠１４と切欠閉鎖部材２２との分解側面図である。
図中左端に挿入口１６（図３Ｂ参照）があり、切欠閉鎖部材２２を切欠部１９に嵌合すると、上枠１４の側壁１４ｂによって切欠閉鎖部材２２は完全に隠れ、見えなくなるよう、その側面の高さは切欠閉鎖部材２２の底面より低く形成されている。
【００２７】
ところで、以上で説明した本実施形態における上枠１４は、従来のガイドレールの一端を切り欠いているため、従来の障子用キャッチをそのまま使用することはできない。そこで、従来の障子用キャッチを本実施形態における上枠１４にも使用するためにアダプタとなるジョイント部材を用いる。
【００２８】
図７はジョイント部材３０と従来の障子用キャッチ２５を説明するための図である。
従来の障子用キャッチ２５は、アルミニウム又は合成樹脂などで形成されており平面状略矩形を成している。この障子用キャッチ２５は、上板２６とキャッチ部２７、係止板２８、係止ネジ２９から成り、上板２６の長手方向の一端に図５に示した本実施形態における切欠閉鎖部材２２のキャッチ部２４と同様の形状をしたキャッチ部２７が上板２６の下面とキャッチ部２７の下面が高さを揃えて設けられている。
また、この上板２６には、長手方向の中心線上に所定の間隔をもった二本の係止ネジ２９が貫通して設けられており、係止板２８は上板２６を挟んで係止ネジ２９に螺合している。
【００２９】
ジョイント部材３０は、アルミニウム又は合成樹脂などで形成され、切欠部１９の外形寸法に合致した中空の角柱状を成し、その一面にはレール状の両側片３３によってスリット３１が形成され、また、これと対向する面にはビス孔３２が形成されている。
スリット３１の幅は、図３Ｂに示した上枠１４に形成されているスリット１８と同じ幅である。
【００３０】
このジョイント部材３０は、ビス孔３２が形成されている面（図中下面）側が上枠１４の上壁１４ａの面（図４）と接触するように、上枠１４の切欠部１９に嵌合し、ビス孔３２と上壁１４ａの皿孔１５を合わせて、上枠１４の内側からビスで固定する。
【００３１】
従来の障子用キャッチ２５をガイドレールに装着させるときは、まず、ジョイント部材３０を上枠１４の切欠部１９に嵌合し、上記皿孔１５にビスなどで固定する。
次に、障子用キャッチ２５の上板２６に取り付けた係止ネジ２９をゆるめ、係止ネジ２９とともにゆるんだ係止板２８を、キャッチ部２７と係止ネジ２９を結んだ中心線に対して直角水平方向に傾けた状態で、ジョイント部材３０のスリット３１に斜めに差し込み、係止板２８のスリット３１に差し込んだ側と反対側をスリット３１に押し込む。
上板２６と、スリット３１を通して上枠１４内に押し込んだ係止板２８でスリット３１の両側片３３を挟み込み、係止ネジ２９がスリット３１の中心線上に位置する状態で、係止ネジ２９を締めて上板２６と係止板２８とで両側片３３を挟持する。
これにより、従来の障子用キャッチを本実施形態における、切欠部を備えたガイドレールにも使用することができ、より汎用性を高めることができる。
【００３２】
次に、以上の構成の吊り戸装置の組立及びランナ１０の挿脱について説明する。
まず、図３ないし図６に示した上枠１４を、皿孔１５を通してネジ、ビスなどで開口部に取り付ける。必要に応じて縦枠や下枠を上枠１４と対応するように設置する。
次に、開口部に固定した上枠１４の挿入口１６から図２に示したランナ１０を二つ挿入し、ランナ１０が上枠１４のガイドレール上を移動可能となるようにする。ランナ１０を上枠１４上に配置した後、切欠部１９に切欠閉鎖部材２２を嵌合し、皿孔１５にネジ２３を貫通して螺合する。
【００３３】
上枠１４に支持された２つのランナ１０のうち、一方のランナ１０のホルダ部１１をスクリーン１の一端の溝２へ挿入し、他方のランナ１０のホルダ部１１をスクリーン１の他端の溝２へ挿入する。ランナ１０を挿入した後の溝２は、シール材６でカバーする（図１参照）。
【００３４】
ランナ１０の交換及びゴミの除去などのメンテナンスを行うときは、まず、スクリーン１の溝２に挿入されているランナ１０の突起部１１ｃに指をかけて、ホルダ部１１をスクリーン１から取り外す方向に、操作部１１ｂを水平に引っ張り、溝２からランナ１０を取り外す（図１及び図２参照）。
【００３５】
図８は上枠１４からランナ１０を取り外す手順を説明する図である。
スクリーン１の溝２からランナ１０を引き出し、ランナ１０を上枠１４の切欠閉鎖部材２２のところまで移動させる（図８Ａ参照）。次に、切欠部１９に嵌合されている切欠閉鎖部材２２を取り外し（図８Ｂ参照）、図８Ｃに示すように切欠閉鎖部材２２を除去する。
次に、ランナ１０を切欠部１９が形成されている一端までガイドレール１４ｄ上を移動させ（図８Ｄ参照）、切欠部１９からランナ１０を取り外す（図８Ｅ参照）。
以上の手順によって、本実施形態における吊り戸装置の組立及び、ランナ１０の取り外しを行う。
【００３６】
本実施形態では、上枠１４に切欠部１９が設けられているため、例えば上枠１４の両端に縦枠が既に設置されている場合でも、縦枠を取り外すことなく、切欠部１９に嵌合されている切欠閉鎖部材２２を取り外すことで、容易に切欠部１９からランナ１０を取り外すことができる。
【００３７】
また、上枠１４に設けた切欠部１９に切欠閉鎖部材２２を嵌合することで、切欠部１９を覆うことができ、切欠部１９を見えなくすることができるため外観が悪くなるのが防止できる。
なお、スクリーン１を開放状態で固定する必要が無いときは、切欠閉鎖部材２２の代わりに、切欠閉鎖部材２２のキャッチ部２４がない構造のものを、ストッパーとして用いてもよい。また、スクリーン１と接触する部分に弾性材を取り付けるか或いはブロック２２ａ自体を弾性体で構成してもよい。
【００３８】
切欠閉鎖部材２２は上枠１４とネジにより螺合され、固着されているため、切欠閉鎖部材２２に衝撃が加えられても切欠閉鎖部材２２が外れることはない。
ランナ１０はスクリーン１から容易に着脱可能に構成されているため、例えば、ランナ１０のみを切欠部１９から上枠１４内に挿入し、その後、上枠１４に移動可能に支持されたランナ１０をスクリーン１の溝２に装着することができる。
ランナ１０を上枠１４から取りはずすときは、先にスクリーン１からランナ１０を取り外し、ランナ１０のみを図４に示したレール１４ｄ上を移動させて切欠部１９から取り外すことができるため、切欠部１９からランナ１０を挿脱する際にスクリーン１を水平方向に移動させる必要が無く、狭い場所でも切欠部１９からランナ１０の挿脱を行うことができる。
【００３９】
以上説明したように、本実施形態においては、ガイドレールの走行に利用しない端部にランナ１０を挿脱するための切欠部を設けると共に、切欠部を閉鎖する切欠閉鎖部材に切欠部を隠蔽する機能や、障子用キャッチ、ストッパー機能を持たせたから、吊り戸装置の部品点数を減らすことができコストを低減させることができる。
【００４０】
本実施形態の以上の説明においては、スクリーンは吊り戸であるとして説明したが、これに限らず、その他の折り戸や引き戸であってもよく、また、スクリーンや戸の下端（下框に形成した溝）に取り付けたランナでその荷重を下から支える構造であってもよい。
なお、この場合、下枠の上壁にランナを案内するスリットを備え、そのスリットに連続して例えばその端部にランナ挿脱用の切欠部を設け、上記切欠部を切欠閉鎖部材で遮蔽する構成にしてもよい。
【図面の簡単な説明】
【００４１】
【図１】本発明の実施形態に係るスクリーンの斜視図である。
【図２】本発明の実施形態に係るランナの斜視図である。
【図３】上枠と切欠閉鎖部材との分解斜視図である。
【図４】上枠と切欠閉鎖部材との分解断面図である。
【図５】上枠と切欠閉鎖部材を下から見た図である。
【図６】上枠と切欠閉鎖部材との分解側面図である。
【図７】ジョイント部材と従来の切欠閉鎖部材を説明するための図である。
【図８】上枠からランナを取り外す手順を説明する図である。
【図９】従来の吊引戸の例を示した概略図である。
【図１０】特許文献１に記載された折り戸装置を説明するための図である。
【図１１】特許文献２に記載されたレール補助部材を説明するための図である。
【図１２】特許文献２に記載されたレール補助部材を説明するための図である。
【符号の説明】
【００４２】
１・・・スクリーン、２・・・溝、３・・・縦框、４・・・下框、５・・・上框、６・・・シール材、７・・・取手、８・・・ガイドピボット、８ａ・・・スライド部、９・・・ビス、１０・・・ランナ、１１・・・ホルダ部、１１ａ・・・ロック部、１１ｂ・・・操作部、１１ｃ・・・突起部、１２・・・ランナ部、１２ａ・・・車輪、１２ｂ・・・掛止部材、１３・・・連結杆、１４・・・上枠、１４ａ・・・上壁、１４ｂ・・・側壁、１４ｃ・・・隔壁、１４ｄ・・・ガイドレール、１５・・・皿孔、１６・・・挿入口、１８・・・スリット、１９・・・切欠部、２０・・・脱輪防止縁、２１・・・車輪抑え、２２・・・切欠閉鎖部材、２２ａ・・・ブロック、２２ｂ・・・拡幅段部、２２ｃ・・・貫通孔、２３・・・ネジ、２４・・・キャッチ部、２５・・・障子用キャッチ、２６・・・上板、２７・・・キャッチ部、２８・・・係止板、２９・・・係止ネジ、３０・・・ジョイント部材、３１・・・スリット、３２・・・ビス孔、３３・・・両側片、１０１・・・スクリーン、１０２・・・枠材、１０３・・・取手、１１０・・・枠材、１１１・・・切欠部、１１２・・・スリット、１１３・・・ジョイント枠材、１２０・・・レールベース、１２１・・・補助レール。
【図１】
2008163587.tif 000003
【図２】
2008163587.tif 000004
【図３】
2008163587.tif 000005
【図４】
2008163587.tif 000006
【図５】
2008163587.tif 000007
【図６】
2008163587.tif 000008
【図７】
2008163587.tif 000009
【図８】
2008163587.tif 000010
【図９】
2008163587.tif 000011
【図１０】
2008163587.tif 000012
【図１１】
2008163587.tif 000013
【図１２】
2008163587.tif 000014